(57)【要約】【課題】タッチパネルを介して表示される画像の視認性の低下防止を目的とする。【解決手段】本発明のタッチパネル４２は、複数の走査電極と、前記複数の走査電極と交差する、前記走査電極と異なる面に形成された、平面視形状で五以上の角を有する複数の多角形の孔３８ｂが互いに離間してマトリクス状に配列している複数の検出電極３８と、隣接する前記検出電極同士の間に形成された、前記検出電極と同じ材料からなる、電気的に独立した複数のダミー電極３９と、を備え、前記複数のダミー電極のそれぞれの平面視形状が前記多角形の孔の形状である、ことを特徴とする。【選択図】図９
2015035122.tif 000002
【特許請求の範囲】
【請求項１】
複数の走査電極と、
前記複数の走査電極と交差する、前記走査電極と異なる面に形成された、平面視形状で五以上の角を有する複数の多角形の孔が互いに離間してマトリクス状に配列している複数の検出電極と、
隣接する前記検出電極同士の間に形成された、前記検出電極と同じ材料からなる、電気的に独立した複数のダミー電極と、
を備え、
前記複数のダミー電極のそれぞれの平面視形状が前記多角形の孔の形状である、
ことを特徴とするタッチパネル。
【請求項２】
請求項１に記載のタッチパネルであって、
前記検出電極の前記複数の多角形の孔と前記複数のダミー電極とが、連続した一様な配列である、
ことを特徴とするタッチパネル。
【請求項３】
請求項１または請求項２に記載のタッチパネルであって、
前記多角形が、前記角の数を増加させることにより、その平面視形状が円形として視認される、
ことを特徴とするタッチパネル。
【請求項４】
請求項１乃至３のいずれか一項に記載のタッチパネルであって、
前記検出電極の形成される領域である検出電極形成領域において、
前記検出電極の面積に対する前記複数の多角形の孔の面積の比率が、三分の二以上かつ二分の三以下である、
ことを特徴とするタッチパネル。
【請求項５】
請求項１乃至４のいずれか一項に記載のタッチパネルであって、
隣接する前記多角形の中心同士の距離が等しい、
ことを特徴とするタッチパネル。
【請求項６】
請求項１乃至５のいずれか一項に記載のタッチパネルであって、
前記検出電極が形成される表示領域の外側に、前記複数の多角形の孔が形成された電極であるシールド電極を更に備える、
ことを特徴とするタッチパネル。
【請求項７】
請求項１乃至６のいずれか一項に記載のタッチパネルと、
前記走査電極を対向電極として電界を形成させる画素電極と、
前記電界により配向が制御される液晶と、
を有することを特徴とする液晶表示装置。
【発明の詳細な説明】
【技術分野】
【０００１】
本発明はタッチパネル及びタッチパネルを備えた表示装置に関する。
【背景技術】
【０００２】
近年、指や専用のペン等が接触した位置を検出するタッチパネルが開発されている。このようなタッチパネルとして、例えば、接触押圧操作（以下、タッチと称する）された部分の容量変化を検出する静電容量方式が知られている。ＩＰＳ（In Plane Switching）方式の液晶表示装置において、液晶表示の共通電極をタッチ検出の走査電極として使用するインセル方式のタッチパネルにおいては、走査電極と、走査電極に交差する検出電極とがマトリクス状に設けられている。
【０００３】
特許文献１においては、平行に並ぶ複数の導体線が所定の角度で交差してなる、菱形格子状の検出電極を有するタッチパネルが開示されている。このようなタッチパネルにおいては、走査電極である第１電極と、検出電極である第２検出電極とが互いに所定の角度で交差することにより、第１電極及び第２電極を構成する導体線が、平面視で正方形の網目パターンを構成する。
【先行技術文献】
【特許文献】
【０００４】
【特許文献１】特開２０１１−２４８７２２号公報
【発明の概要】
【発明が解決しようとする課題】
【０００５】
特許文献１に記載のタッチパネルにおいては、複数の導体線が平行に並ぶため、画素からの発光により、複数の導体線の側面が同じ方向に光を反射する。その結果、表示装置の外側から検出電極のパターンが視認可能となる。また、特許文献１に記載の表示装置においては正方形の網目パターンが連続して隣接するため、微細なパターンである網点が連続的に現れる干渉縞（以下、モアレとする）を防ぐことができない。この結果、タッチパネルを介して表示される画像の視認性を低下させるおそれがあった。
【０００６】
本発明は、このような事情に鑑みてなされたものであって、タッチパネルを介して表示される画像の視認性の低下防止を目的とする。
【課題を解決するための手段】
【０００７】
本出願において開示される発明のうち、代表的なものの概要を簡単に説明すれば、以下
の通りである。
【０００８】
（１）本発明のタッチパネルは、複数の走査電極と、前記複数の走査電極と交差する、前記走査電極と異なる面に形成された、平面視形状で五以上の角を有する複数の多角形の孔が互いに離間してマトリクス状に配列している複数の検出電極と、隣接する前記検出電極同士の間に形成された、前記検出電極と同じ材料からなる、電気的に独立した複数のダミー電極と、を備え、前記複数のダミー電極のそれぞれの平面視形状が前記多角形の孔の形状である、ことを特徴とする。
【０００９】
（２）本発明のタッチパネルは、（１）において、前記検出電極の前記複数の多角形の孔と前記複数のダミー電極とが、連続した一様な配列であってもよい。
【００１０】
（３）本発明のタッチパネルは、（１）または（２）において、前記多角形が、前記角の数を増加させることにより、その平面視形状が円形として視認されてもよい。
【００１１】
（４）本発明のタッチパネルは、（１）乃至（３）のいずれか一項において、前記検出電極の形成される領域である検出電極形成領域において、前記検出電極の面積に対する前記複数の多角形の孔の面積の比率が、三分の二以上かつ二分の三以下であってもよい。
【００１２】
（５）本発明のタッチパネルは、（１）乃至（４）のいずれか一項において、隣接する前記多角形の中心同士の距離が等しくてもよい。
【００１３】
（６）本発明のタッチパネルは、（１）乃至（５）のいずれか一項において、前記検出電極が形成される表示領域の外側に、前記複数の多角形の孔が形成された電極であるシールド電極を更に備えてもよい。
【００１４】
（７）本発明の液晶表示装置は、（１）乃至（６）のいずれか一項に記載のタッチパネルと、前記走査電極を対向電極として電界を形成させる画素電極と、前記電界により配向が制御される液晶と、を有していてもよい。
【発明の効果】
【００１５】
上記（１）乃至（７）のいずれかによれば、本構成を有さないタッチパネル又は液晶表示装置と比べて、検出電極における多角形の孔及びダミー電極の側面における光の反射とモアレの発生が抑えられる。このため、タッチパネルを介して表示される画像の視認性の低下防止を実現することができる。
【図面の簡単な説明】
【００１６】
【図１】本発明の実施形態に係る、タッチパネルを有する液晶表示装置の分解斜視図である。
【図２】図２は図１に示す液晶表示装置のＩＩ−ＩＩ切断線における概略断面図である。
【図３】図３は図１に示すタッチパネルのＩＩＩ領域の部分拡大図である。
【図４】図４は図３に示すタッチパネルのＩＶ領域の部分拡大図である。
【図５】図５は本実施形態に係るタッチパネルの変形例を図４と同様の視野において示す部分拡大図である。
【図６】図６は本実施形態に係るタッチパネルの変形例を図４と同様の視野において示す部分拡大図である。
【図７】図７は本実施形態に係るタッチパネルの変形例を図４と同様の視野において示す部分拡大図である。
【図８】図８は本実施形態に係るタッチパネルの変形例を図４と同様の視野において示す部分拡大図である。
【図９】図９は本実施形態に係るタッチパネルの変形例を図４と同様の視野において示す部分拡大図である。
【図１０】図１０は本実施形態に係るタッチパネルの変形例を図４と同様の視野において示す部分拡大図である。
【図１１】図１１は図３に示すタッチパネルのＸＩ領域の部分拡大図である。
【図１２】図１２は図３に示すタッチパネルのＸＩＩ領域の部分拡大図である。
【発明を実施するための形態】
【００１７】
以下、本実施形態に係るタッチパネル及び表示装置について、液晶表示装置１を例として図面に基づいて説明する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で変更して実施することが可能である。
【００１８】
図１は本発明の実施形態に係る、タッチパネルを有する液晶表示装置１の分解斜視図である。図１に示すように、液晶表示装置１は、液晶表示パネル３３と、表示領域Ｄ及び非表示領域Ｅを有するフロントパネル４６と、を有している。なお、説明の便宜上、図１においては液晶表示装置１の一部の構成の記載を省略する。
【００１９】
液晶表示パネル３３はたとえば、ＩＰＳ（In-Plane Switching）方式の液晶表示パネルであり、第１基板１０と、タッチパネル４２と、を有している。第１基板１０の上面１０ａのうち、非表示領域Ｅに対応する領域には第１のフレキシブル回路基板２ａが接続され、さらに、ドライバＩＣ（Integrated Circuit）３が設けられている。ドライバＩＣ３は、液晶表示装置１の外部から第１のフレキシブル回路基板２ａを介して画像データを供給される、第１基板１０上に配置されたＩＣである。ドライバＩＣ３は画像データが供給されることにより、走査電極３０及び後述する画素電極３４に、共通配線５８を介して各画素に印加する電圧信号を供給する。
【００２０】
タッチパネル４２は、複数の走査電極３０と、第２基板１２と、複数の検出電極３８と、を有している。走査電極３０は、第１基板１０の上面１０ａの表示領域Ｄに対応する領域に、互いに間隔を空けて方向Ｘに延在するように設けられている。
【００２１】
第２基板１２は、第１基板１０上に配置されている。第２基板１２の上面１２ａの、表示領域Ｄに対応する領域には、例えば、方向Ｙに延在する複数の検出電極３８が互いに間隔を空けて設けられている。なお、方向Ｙは、方向Ｘと交差する方向であればよいが、方向Ｘに直交することが好ましい。
【００２２】
表示領域Ｄに対応する領域に形成された複数の検出電極３８のＹ方向の端部は、それぞれ端子４０に接続されており、非表示領域Ｅに対応する領域に形成された検出電極３８のＹ方向の端部は、シールド端子４１に接続されている。また、隣接する検出電極３８同士の間には、ダミー電極３９が形成されている。この検出電極３８とダミー電極３９の詳細な構成については後述する。
【００２３】
第２基板１２の上面１２ａのうち、非表示領域Ｅに対応する領域には、第２のフレキシブル回路基板２ｂが接続されている。第２のフレキシブル回路基板２ｂは、検出電極３８と外部機器との電気的接続のために設けられており、その一部は第１のフレキシブル回路基板２ａと接続している。
【００２４】
第２基板１２上にはフロントパネル４６が配置されている。フロントパネル４６は液晶表示パネル３３を保護するための部材である。フロントパネル４６の表示領域Ｄは透光性を有しており、非表示領域Ｅの下面はブラックマトリクスＢＭで覆われている。
【００２５】
次に、液晶表示装置１の表示領域Ｄの構成について、その詳細を説明する。図２は図１に示す液晶表示装置１のＩＩ−ＩＩ切断線における概略断面図である。
【００２６】
第１基板１０は、例えばガラスなどの絶縁性の基板であって、その上面１０ａに、回路層１１、走査電極３０及び画素電極３４が順に形成される部材である。
【００２７】
回路層１１は、薄膜トランジスタ１８、第１の絶縁膜（ゲート絶縁膜）２２及び図示しない電気配線が形成された層であり、画素電極３４を駆動するために設けられている。薄膜トランジスタ１８は第１基板１０上に画素Ｐごとに設けられており、例えば、ポリシリコン半導体層２０、第１の絶縁膜２２、ゲート電極２４、第２の絶縁膜２５、ソース電極２６及びドレイン電極２８から構成されている。
【００２８】
薄膜トランジスタ１８上は、第３の絶縁膜（平坦化膜）２９によって覆われている。平坦化膜２９は絶縁材料からなる層であり、第１基板１０と画素電極３４の間に形成されることにより、隣接する薄膜トランジスタ１８間や、薄膜トランジスタ１８と画素電極３４の間が、電気的に絶縁される。
【００２９】
平坦化膜２９上には走査電極３０が形成され、走査電極３０上には、第４の絶縁膜３２を介して画素電極３４が形成されている。画素電極３４は、後述する液晶３６を駆動するために、画素Ｐ毎に形成された電極である。なお、本実施形態における画素電極３４は、走査電極３０よりも第２基板１２側に位置しているが、その位置関係は逆であってもよい。画素電極３４は、コンタクトホール３４ａを介して薄膜トランジスタ１８に接続されている。
【００３０】
画素電極３４上には、第１の配向膜３５ａと液晶３６と第２の配向膜３５ｂとを介して、第２基板１２が配置されている。このような構成を有することにより、画素電極３４は走査電極３０を対向電極として電界を形成する。そして、液晶３６は、走査電極３０と画素電極３４の間に発生する電界により、その配向が制御される。
【００３１】
第２基板１２は、例えばカラーフィルタ基板であり、図示しないカラーフィルタやブラックマトリクスが形成されている。第２基板１２上には検出電極３８と後述するダミー電極３９が形成されており、検出電極３８及びダミー電極３９上には、粘着層４４を介してフロントパネル４６が貼り付けられている。
【００３２】
以下、検出電極３８とダミー電極３９の構成について、その詳細を説明する。図３は図１に示すタッチパネル４２のＩＩＩ領域の部分拡大図である。なお、説明の便宜上、図３においては、検出電極３８とダミー電極３９以外の記載を省略する。検出電極３８は、検出電極３８と走査電極３０との間の静電容量の差により、フロントパネル４６への外部からの接触の有無を検出する電極である。
【００３３】
検出電極３８が形成された領域を検出電極形成領域１３８とすると、検出電極３８（検出電極形成領域１３８）はＹ方向に延在し、Ｘ方向に隣接する複数の検出電極３８同士は、互いに間隔を空けて並んでいる。また、検出電極３８は、例えばＩＴＯ（Indium Tin Oxide）などの透光性の導電性材料からなる。
【００３４】
ダミー電極３９は、隣接する検出電極３８同士の間に複数形成された、検出電極３８と同じ材料からなる電気的に独立した電極である。検出電極３８同士の間の、複数のダミー電極３９が形成された領域をダミー電極形成領域１３９とすると、ダミー電極形成領域１３９は、Ｙ方向に延在して、隣接する検出電極３８同士の間を充填する。
【００３５】
図４は図３に示すタッチパネル４２のＩＶ領域の部分拡大図である。なお、説明の便宜上、図４においては、検出電極３８、ダミー電極３９及び画素Ｐ以外の記載を省略する。図４に示すように、検出電極３８には、平面視形状で五つの角３８ａを有する複数の五角形の孔３８ｂが互いに離間してマトリクス状に配列している。なお、角３８ａの数は五以上であればよく、孔３８ｂは平面視で五以上の角３８ａを有する多角形状となる。このような構成を有することにより、孔３８ｂの各辺３８ｃは、少なくとも一部が、平面視形状矩形の画素Ｐの外周Ｐ１とは平行に並ばず、交差する方向に延在する。
【００３６】
ダミー電極形成領域１３９に形成された複数のダミー電極３９それぞれの平面視形状は、検出電極３８の孔３８ｂと同じ多角形状である。具体的には、ダミー電極３９は孔３８ｂと同様に５つの角３９ｂと５つの辺３９ｃを有する。なお、本実施形態における「同じ多角形状」とは、完全に同一の多角形状のみならず、製造の工程により同一形状から誤差の範囲でずれたものも含む。
【００３７】
本実施形態におけるタッチパネル４２及び液晶表示装置１は、本構成を有することにより、矩形の孔や溝状の孔が形成された検出電極を有するタッチパネルまたは液晶表示装置と比べて、検出電極３８の孔３８ｂの各辺３８ｃと画素Ｐの外周Ｐ１、及び、ダミー電極３９の各辺３９ｃと画素Ｐの外周Ｐ１が平行に並ぶことが防がれる。
【００３８】
このため、本構成を有さないタッチパネルや液晶表示装置と比べ、画素Ｐからの発光が検出電極３８の各辺３８ｃ及びダミー電極３９の各辺３９ｃに反射して同じ方向に進むことが防がれる。これにより、タッチパネル４２の外側から検出電極３８やダミー電極３９のパターンが視認されることが防がれる。また、検出電極３８の各辺３８ｃやダミー電極３９の各辺３９ｃが連続して平行に並ぶことが防がれるため、モアレの発生を抑えることができる。
【００３９】
以上により、本実施形態におけるタッチパネル４２及び表示装置１は、タッチパネル４２を介して表示される画像の視認性の低下防止を実現することができる。
【００４０】
また、検出電極３８の孔３８ｂの平面視形状が多角形状であることにより、孔３８ｂの側面において反射した光が一点に集光することが防がれる。このため、検出電極３８と、ダミー電極形成領域１３９の視認性の差が抑えられる。
【００４１】
なお、検出電極３８とダミー電極３９は、フォトリソグラフィにより形成されたものであることが好ましい。検出電極３８とダミー電極３９はフォトリソグラフィで形成されることにより、そのパターンが高精細となり、上述の効果をより効果的に得ることができる。
【００４２】
検出電極３８の孔３８ｂの半径ｄ１（ダミー電極３９の半径ｄ１）は、５μｍ以上２５０μｍ以下であることが好ましい。半径ｄ１が５μｍ以上２５０μｍ以下であることにより、検出電極３８の孔３８ｂとダミー電極３９とが視認されることを防ぎ、かつ、孔３８ｂとダミー電極３９の平面視形状の精度を保つことができる。
【００４３】
また、隣接する検出電極３８の孔３８ｂ同士の距離ｄ２（隣接するダミー電極３９同士の距離ｄ２）は、加工可能な範囲内の大きさでかつ視認が防がれる大きさで形成されていることが好ましく、具体的には、５μｍ以上２５０μｍ以下であることが好ましい。距離ｄ２が５μｍ以上２５０μｍ以下であることにより、検出電極３８の孔３８ｂとダミー電極３９の視認が防がれ、かつ、検出電極３８の電気抵抗を抑えることができる。
【００４４】
また、隣接する検出電極３８の孔３８ｂ同士の距離ｄ２（隣接するダミー電極３９同士の距離ｄ２）と、平面視での画素Ｐの長辺の長さＬ１及び短辺の長さＬ２とは、異なることが好ましい。本実施形態におけるタッチパネル４２及び液晶表示装置１は、このような構成を有することにより、孔３８ｂの各辺３８ｃと画素Ｐの外周Ｐ１、及び、ダミー電極３９の各辺３９ｃと画素Ｐの外周Ｐ１が平行に並ぶことが防がれる。このため、モアレの発生を抑えることができる。
【００４５】
また、検出電極３８の複数の孔３８ｂと複数のダミー電極３９とは、連続した一様な配列であることが好ましい。具体的には、検出電極形成領域１３８とダミー電極形成領域１３９との境界を境界Ｂとすると、境界Ｂを挟んで互いに隣接する孔３８ｂとダミー電極３９とが成す形状Ｓが、平面視で孔３８ｂ及びダミー電極３９と同じ多角形状となる。
【００４６】
これにより、孔３８ｂまたはダミー電極３９が成す、多角形の平面視形状は、検出電極形成領域１３８からダミー電極形成領域１３９にかけて、連続して一様に配列される。このような構成を有することにより、図４に示すように、検出電極３８のダミー電極３９側の外周３８ｄは直線形状とならずに、その一部は形状Ｓを構成する。
【００４７】
本実施形態におけるタッチパネル４２及び表示装置１は、このような構成を有することにより、検出電極３８の外周３８ｄにおいて、画素Ｐからの光が一方向に反射することが抑えられる。このため、境界Ｂの視認を防ぐことができる。
【００４８】
また、外周３８ｄにおける、境界Ｂから孔３８ｂにかけての領域３８ｄ１は、曲線形状であることが好ましい。外周３８ｄに曲線形状の領域３８ｄ１が形成されていることにより、外周３８ｄにおける光の干渉が抑えられる。なお、領域３８ｄ１は、検出電極３８及びダミー電極３９の形成において、フォトリソグラフィの条件やエッチング条件を調整することにより曲線形状とすることができる。
【００４９】
また、検出電極形成領域１３８において、検出電極３８の面積に対する、複数の孔３８ｂの面積の合計の比率は、三分の二以上かつ二分の三以下であることが好ましく、特に一対一に近ければ近いほど好ましい。
【００５０】
具体的に説明すると、検出電極形成領域１３８は検出電極３８と孔３８ｂにより構成されているが、検出電極３８の面積に対する、複数の孔３８ｂの面積の合計の比率が上記範囲内であることにより、検出電極形成領域１３８における検出電極３８と孔３８ｂの面積の比率は、３：２から２：３の範囲内となる。
【００５１】
また、孔３８ｂの平面視形状とダミー電極３９の平面視形状は等しいため、このような構成を有することにより、同じ面積当たりの検出電極３８の面積に対する、ダミー電極３９の面積の合計の比率も三分の二以上かつ二分の三以下となる。
【００５２】
このような構成を有することにより、同じ面積内における検出電極３８とダミー電極３９の面積比は一対一から一定の範囲内となる。これにより、本実施形態におけるタッチパネル４２及び液晶表示装置１は、本構成を有さないタッチパネル及び液晶表示装置と比べて、その視認性に差が生じにくくなる。このため、検出電極３８とダミー電極形成領域１３９との濃淡の差が視認されにくくなり、タッチパネル４２を介して表示される画像の視認性の低下防止を実現することができる。
【００５３】
また、隣接する孔３８ｂの中心ｃ１同士の距離と、隣接するダミー電極３９の中心ｃ２同士の距離を距離ｄ３とした場合、それぞれの孔３８ｂにおける距離ｄ３、及び、それぞれのダミー電極３９における距離ｄ３は等しいことが好ましい。
【００５４】
このような構成を有することにより、孔３８ｂは検出電極３８に最密に配置され、ダミー電極３９はダミー電極形成領域１３９内において最密に配置される。このため、本実施形態におけるタッチパネル４２及び液晶表示装置１は、本構成を有さないタッチパネル及び液晶表示装置と比べて、検出電極３８の面積や、ダミー電極形成領域１３９におけるダミー電極３９の占める割合が調整されやすい。また、隣接する孔３８ｂ同士の距離が等しくなるため、検出電極３８における電気抵抗を抑えることができる。
【００５５】
以下、本実施形態におけるタッチパネル４２の変形例について説明する。図５は本実施形態に係るタッチパネル４２の変形例を図４と同様の視野において示す部分拡大図である。図５に示すように、孔３８ｂは平面視形状で６つの角３８ａを有する六角形状であってもよい。同様に、ダミー電極３９も６つの角３９ａを有する六角形状となる。このような構成を有することにより、孔３８ｂの少なくとも４つの辺３８ｃと、ダミー電極３９の少なくとも４つの辺３９ｃは、画素Ｐの外周Ｐ１とは平行に並ばず、交差する方向に延在する。
【００５６】
このため、本実施形態におけるタッチパネル４２及び液晶表示装置１は、本構成を有さないタッチパネルまたは液晶表示装置と比べて、孔３８ｂの各辺３８ｃと画素Ｐの外周Ｐ１、及び、ダミー電極３９の各辺３９ｃと画素Ｐの外周Ｐ１が平行に並ぶことが防がれる。このため、モアレの発生を抑え、タッチパネル４２を介して表示される画像の視認性の低下防止を実現することができる。
【００５７】
図６は本実施形態に係るタッチパネル４２の変形例を図４と同様の視野において示す部分拡大図である。図６に示すように、孔３８ｂとダミー電極３９は、それぞれ７つの角３８ａ、３９ａを有する七角形状であってもよい。このように、孔３８ｂとダミー電極３９の平面視形状が奇数の角３８ａ、３９ａを有する多角形状であることにより、孔３８ｂの各辺３８ｃのうち、画素Ｐの外周Ｐ１に平行となる辺は、多くとも１つとなる。
【００５８】
また、同様に、ダミー電極３９の各辺３９ｃのうち画素Ｐの外周Ｐ１に平行となる辺は、多くとも１つとなる。このため、本実施形態におけるタッチパネル４２及び液晶表示装置１は、本構成を有さないタッチパネルまたは液晶表示装置と比べて、モアレの発生が抑えられる。これにより、タッチパネル４２を介して表示される画像の視認性の低下防止を実現することができる。
【００５９】
図７は本実施形態に係るタッチパネル４２の変形例を図４と同様の視野において示す部分拡大図である。図７に示すように、孔３８ｂとダミー電極３９は、それぞれ８つの角３８ａ、３９ａを有する八角形状であってもよい。
【００６０】
図８は本実施形態に係るタッチパネル４２の変形例を図４と同様の視野において示す部分拡大図である。図８に示す孔３８ｂとダミー電極３９は、それぞれ１２の角３８ａ、３９ａを有する１２角形状である。このように、角３８ａ、３９ａの数は５以上であれば上述した例に限られず、さらに多い数であってもよい。
【００６１】
図９は本実施形態に係るタッチパネル４２の変形例を図４と同様の視野において示す部分拡大図である。図９における孔３８ｂとダミー電極３９は、それぞれ角３８ａ、３９ａの数を増加させることにより、その平面視形状が円形として視認される。本実施形態におけるタッチパネル４２及び液晶表示装置１は、このような構成を有することにより、本構成を有さないタッチパネルまたは液晶表示装置と比べて、孔３８ｂの各辺３８ｃと画素Ｐの外周Ｐ１、及び、ダミー電極３９の各辺３９ｃと画素Ｐの外周Ｐ１が平行に並ぶ箇所を最小限に抑えることができる。このため、検出電極３８やダミー電極３９のパターンが視認されることと、モアレの発生を抑えることができる。
【００６２】
以上、検出電極３８の複数の孔３８ｂと複数のダミー電極３９の配列について説明したが、孔３８ｂとダミー電極３９は、それぞれの平面視形状が同一であればその他の配列であってもよい。図１０は本実施形態に係るタッチパネル４２の変形例を図４と同様の視野において示す部分拡大図である。図１０に示すように、複数の孔３８ｂと複数のダミー電極３９は、最密に配列されたものでなくてもよい。
【００６３】
次いで、非表示領域Ｅにおけるタッチパネル４２の構成について、その詳細を説明する。図１１は図３に示すタッチパネル４２のＸＩ領域の部分拡大図であり、図１２は図３に示すタッチパネル４２のＸＩＩ領域の部分拡大図である。
【００６４】
非表示領域Ｅには、シールド端子４１に接続するシールド電極４７がＹ方向に延在するように形成されている。シールド電極４７は、表示領域Ｄ側の領域である第１領域４８と、第１領域４８の外側の領域である第２領域４９とから構成された電極である。この第１領域４８は表示領域Ｄと非表示領域Ｅの境界Ｆに沿うように形成されている。また、第１領域４８は、非表示領域Ｅに対応する領域全体に形成されている。
【００６５】
第１領域４８は、検出電極３８と同様に、孔３８ｂと同じ平面視形状の孔４８ｂがマトリクス状に形成されている。これにより、第１領域４８は検出電極３８と同様の平面視形状を有している。
【００６６】
本実施形態におけるタッチパネル４２及び液晶表示装置１は、タッチパネル４２の非表示領域Ｅに対応する領域に、複数の孔４８ｂを有するシールド電極４７（第１領域４８）が境界Ｆに沿って形成されていることにより、非表示領域Ｅをタッチパネル４２の外側から視認した際における、非表示領域Ｅ内における濃淡差を押さえることができる。
【００６７】
以上、本発明の実施形態を説明してきたが、本発明は、上述した実施形態には限られない。例えば、上述した実施形態で説明した構成は、実質的に同一の構成、同一の作用効果を奏する構成、又は同一の目的を達成することができる構成により置き換えてもよい。
【００６８】
例えば、本実施形態においては、本発明のタッチパネル４２を、共通電極を走査電極３０として使用するインセル方式の液晶表示装置１に適用した例を示しているが、インセル方式に限られず、第２基板１２上に走査電極３０及び検出電極３８の両方が形成されるオンセル方式や、走査電極及び検出電極が形成された基板を表示装置に重ねる方式に適用することができる。また、本発明のタッチパネル４２は、液晶表示装置１以外の表示装置（例えばＥＬ（Electro Luminescence）表示装置）に適用されてもよい。
【符号の説明】
【００６９】
１  液晶表示装置、１０  第１基板、１０ａ  上面、１２  第２基板、１２ａ  上面、１８  薄膜トランジスタ、３０  走査電極、３４  画素電極、３６  液晶表示パネル、３８  検出電極、３８ａ  角、３８ａ  孔、３８ｃ  辺、３８ｄ  外周、３８ｄ１  領域、３９  ダミー電極、４０  端子、４１  シールド端子、４２  タッチパネル、４６  フロントパネル、４７  シールド電極、４８  第１領域、４８ｂ  孔、４９  第２領域、１３８  検出電極形成領域、１３９  ダミー電極形成領域、Ｂ  境界、ＢＭ  ブラックマトリクス、Ｄ  表示領域、Ｅ  非表示領域、Ｆ  境界、Ｐ  画素、Ｐ１  外周、Ｓ  形状。
【図１】
2015035122.tif 000003
【図２】
2015035122.tif 000004
【図３】
2015035122.tif 000005
【図４】
2015035122.tif 000006
【図５】
2015035122.tif 000007
【図６】
2015035122.tif 000008
【図７】
2015035122.tif 000009
【図８】
2015035122.tif 000010
【図９】
2015035122.tif 000011
【図１０】
2015035122.tif 000012
【図１１】
2015035122.tif 000013
【図１２】
2015035122.tif 000014